(57)【特許請求の範囲】
【請求項１】
商用交流に基づいて生成した測定用交流を、自動復帰型の手動スイッチが操作されてオン状態になったときに被測定装置に印加可能に構成されている漏れ電流測定用検査装置において、
前記商用交流または前記測定用交流を整流することにより直流を生成する整流手段と、セットコイルが励磁されたときに前記測定用交流を前記被測定装置に出力し、かつリセットコイルが励磁されたときに当該測定用交流の出力を停止する２巻線型のラッチングリレーと、前記手動スイッチが操作されないオフ状態のときに前記リセットコイル、電流制限用抵抗、当該手動スイッチのブレーク接点および可動接点を介して入力された前記直流によって充電され、かつ前記手動スイッチがオン状態のときに当該手動スイッチの可動接点、メーク接点、電流制限用抵抗および前記セットコイルを介して放電する電荷蓄積手段とを備えていることを特徴とする漏れ電流測定用検査装置。
【請求項２】
前記整流手段の出力部に配設され前記直流を平滑するためのコンデンサを備えていることを特徴とする請求項１記載の漏れ電流測定用検査装置。
【請求項３】
前記電荷蓄積手段はコンデンサであることを特徴とする請求項１または２記載の漏れ電流測定用検査装置。
【発明の詳細な説明】
【０００１】
【発明の属する技術分野】
本発明は、被測定装置の漏れ電流または絶縁抵抗を測定する際に、その被測定装置に対して所定の測定用交流を印加するための漏れ電流測定用検査装置に関し、特に、医用機器の漏れ電流を測定するのに適した漏れ電流測定用検査装置に関するものである。
【０００２】
【従来の技術】
一般的に、治療や検査の際には、複数のＭＥ（Medical Electrical）機器が使用されている。例えば、図２に示すように、２台の心電計４１，４２と、心電計４１の心電図をプリントアウトする１台のプリンタ４３とを用いて患者の心電計を測定する場合がある。この場合において、心電計４２またはプリンタ４３に絶縁抵抗の劣化などの故障が生じた場合、商用電源が、故障した心電計４２やプリンタ４３から漏洩することがある。具体的には、心電計４２が故障した場合には、心電計４２から漏洩した漏れ電流は、心電計４２の装着部４２ａ，患者Ｋ１の身体、心電計４１の装着部４１ａ、心電計用４１の電源トランス４４、および電源トランス４４の絶縁抵抗ＲＺを介して接地線に流出する。また、プリンタ４３が故障した場合には、プリンタ４３から漏洩した漏れ電流は、心電計４１の入出力端子４１ｂ、心電計４１の筐体、装着部４１ｃ、および患者Ｋ２の身体を介して、接地線に流出する。この結果、ＭＥ機器の故障に起因する漏れ電流によって、患者Ｋ１，Ｋ２が感電するという重大な事態を招くことがある。このため、ＭＥ機器の漏れ電流を定期的に測定し、許容値以下であることを確認する必要がある。このような漏れ電流を測定する際には、例えば、図３に示す漏れ電流測定システムが用いられている。
【０００３】
同図に示す漏れ電流測定システムでは、漏れ電流測定用検査装置５１および２つの漏れ電流計５２，５３が用いられている。ここで、漏れ電流測定用検査装置５１は、例えば１００Ｖの商用交流を１１０Ｖまで昇圧することにより測定用交流を生成する昇圧トランス５４を内蔵しており、生成した測定用交流を、故障したＭＥ機器から漏洩する漏れ電流に代えて出力する。すなわち、漏れ電流測定用検査装置５１は、図２における故障した心電計４２およびプリンタ４３を置換する機能を有している。また、漏れ電流計５２，５３は、患者Ｋ２，Ｋ１の身体抵抗を置換する疑似抵抗としてそれぞれ機能し、漏れ電流の漏洩経路中に直列接続されている。
【０００４】
次に、この測定系における漏れ電流測定の方法について説明する。なお、ＭＥ機器の漏れ電流測定における測定項目および許容値は、ＩＥＣ６０１−１およびＪＩＳＴ１００１．１９９２などの規定規格によって様々に定められているが、ここでは、その一例を説明する。
【０００５】
まず、心電計４１がＩＥＣ規格に規定するＢ型装着部を有するＭＥ機器の場合には、プリンタ４３に接続される心電計４１の信号入出力端子４１ｂに漏れ電流測定用検査装置５１の鰐口クリップ６１を接続し、かつ、漏れ電流計５２の入力側鰐口クリップ６２を心電計４１の装着部４１ｃに接続すると共に、接地線に接続した鰐口クリップ６３を漏れ電流計５２の出力部に接続する。次いで、漏れ電流測定用検査装置５１の手元スイッチ５５をオンさせる。これにより、測定用交流の電流Ｉ１が、手元スイッチ５５、鰐口クリップ６１、信号入出力端子４１ｂ、装着部４１ｃ、入力側鰐口クリップ６２、および漏れ電流計５２の内部抵抗７１を介して接地線に流出する。この結果、漏れ電流によって内部抵抗７１の両端に電圧が発生するため、内部電圧計７２によって漏れ電流を測定することができる。なお、この測定項目における漏れ電流の許容値は、５ｍＡ以下に規定されているため、漏れ電流測定用検査装置５１は、電流制限抵抗５７を介在させずに出力する。
【０００６】
一方、心電計４１がＩＥＣ規格に規定するＣＦ型装着部を有するＭＥ機器の場合には、漏れ電流計５３の入力部に鰐口クリップ６４を接続し、かつ漏れ電流計５３の出力側鰐口クリップ６５を心電計４１の装着部４１ａに接続する。次いで、手元スイッチ５６をオンさせる。これにより、測定用交流の電流Ｉ２が、漏れ電流測定用検査装置５１の電流制限抵抗５７、手元スイッチ５６、鰐口クリップ６４、漏れ電流計５３の内部抵抗７３、出力側鰐口クリップ６５、装着部４１ａ、および電源トランス４４の絶縁抵抗ＲＺを介して接地線に流出する。この結果、漏れ電流によって内部抵抗７３の両端に電圧が発生するため、内部電圧計７４によって漏れ電流を測定することができる。なお、この測定項目における漏れ電流の許容値は、５０μＡ以下に規定されているため、漏れ電流測定用検査装置５１では、電流制限抵抗５７を介して測定用交流を出力する。
【０００７】
【発明が解決しようとする課題】
ところが、従来の漏れ電流測定用検査装置５１には、以下の問題点がある。
すなわち、漏れ電流測定用検査装置５１から出力される測定用交流が電流制限抵抗５７を介して出力される場合には、電流制限されているため危険な事態を招くことはない。一方、使用時における破損や、長年の使用による樹脂の劣化などに起因して、手元スイッチ５５のケースや押し釦部分などの絶縁抵抗が低下することがある。この場合、手元スイッチ５５には、ＡＣ１１０Ｖの測定用交流が導通している。このため、測定者が手元スイッチ５５を操作したときに、測定用交流が人体を導通することによって、感電事故を引き起こすおそれがあるという問題点がある。
【０００８】
この場合、感電事故を防止するために、保護用の電流制限抵抗を昇圧トランス５４の出力巻線と手元スイッチ５５との間にも直列接続することが考えられる。ところが、電流制限抵抗を１０ＫΩ程度に設定し、人体を流れる測定用交流の電流を５ｍＡ程度に制限する場合、漏れ電流の測定において測定用交流が５ｍＡ流れると、電流制限抵抗による電圧降下が５０Ｖ（１０ｋΩ×５ｍＡ）となる。このため、心電計４１などの被測定装置には、６０Ｖ程度しか印加することができない結果、正確な漏れ電流測定が不可能になってしまう。
【０００９】
本発明は、かかる問題点に鑑みてなされたものであり、測定用交流の電圧値を一定に維持しつつ、感電事故を防止することが可能な漏れ電流測定用検査装置を提供することを主目的とする。
【００１０】
【課題を解決するための手段】
上記目的を達成すべく請求項１記載の漏れ電流測定用検査装置は、商用交流に基づいて生成した測定用交流を、自動復帰型の手動スイッチが操作されてオン状態になったときに被測定装置に印加可能に構成されている漏れ電流測定用検査装置において、商用交流または測定用交流を整流することにより直流を生成する整流手段と、セットコイルが励磁されたときに測定用交流を被測定装置に出力し、かつリセットコイルが励磁されたときに測定用交流の出力を停止する２巻線型のラッチングリレーと、手動スイッチが操作されないオフ状態のときにリセットコイル、電流制限用抵抗、手動スイッチのブレーク接点および可動接点を介して入力された直流によって充電され、かつ手動スイッチがオン状態のときに手動スイッチの可動接点、メーク接点、電流制限用抵抗およびセットコイルを介して放電する電荷蓄積手段とを備えていることを特徴とする。
なお、整流手段は、正電圧および負電圧のいずれの電圧の直流を生成してもよい。また、本発明における「漏れ電流測定」には、漏れ電流のみの測定、および絶縁抵抗を測定する場合における間接的な漏れ電流の測定が含まれる。
【００１１】
この漏れ電流測定用検査装置では、装置電源が投入されると、整流手段が、商用交流または測定用交流を整流することにより直流を生成する。この場合、手動スイッチは、自動復帰型で構成されているため、オフ状態のときには、可動接点とブレーク接点とが接触状態になっている。したがって、電荷蓄積手段は、ラッチングリレーのリセットコイル、手動スイッチのブレーク接点、および可動接点を介して入力された直流によって充電される。この際、直流が流れることによってリセットコイルが励磁される結果、ラッチングリレーは、オフ状態になり、測定用交流の出力を停止する。一方、手動スイッチがオン状態に操作されると、電荷蓄積手段は、手動スイッチの可動接点、メーク接点、およびセットコイルを介して放電する。この際、セットコイルが励磁されるため、ラッチングリレーは、オン状態に維持される結果、測定用交流を継続して出力する。これらの場合において、手動スイッチは、測定用交流を直接オン／オフするのではなく、整流手段によって生成された直流の導通を制御するため、手動スイッチの操作時における感電事故を防止することが可能となる。また、手動スイッチのオン操作時には、電荷蓄積手段に蓄積された電荷に基づいてラッチングリレーを作動させるため、測定用交流の電圧値に影響を与えない結果、正確な漏れ電流測定を行うことが可能となる。
【００１２】
請求項２記載の漏れ電流測定用検査装置は、請求項１記載の漏れ電流測定用検査装置において、整流手段の出力部に配設され直流を平滑するためのコンデンサを備えていることを特徴とする。
【００１３】
整流手段によって生成された脈流によってラッチングリレーのリセットコイルを励磁させることも可能である。一方、脈流によってリセットコイルを励磁する場合には、ラッチングリレーの動作が不安定になることもある。この漏れ電流測定用検査装置では、コンデンサが脈流を平滑することにより、平滑された直流によってセットコイルおよびリセットコイルが励磁される結果、ラッチングリレーを確実に作動させることが可能となる。
【００１４】
請求項３記載の漏れ電流測定用検査装置は、請求項１または２記載の漏れ電流測定用検査装置において、電荷蓄積手段はコンデンサであることを特徴とする。
【００１５】
電荷蓄積手段は、充電型の電池によって構成することも可能である。一方、ラッチングリレーは、通常数十ｍＳで作動する。したがって、コンデンサの充放電電流によってリセットコイルおよびセットコイルを確実に励磁することができ、かつ、電池によって構成した場合と比較してコストダウンを図ることが可能となる。
【００１６】
【発明の実施の形態】
以下、添付図面を参照して、本発明に係る漏れ電流測定用検査装置を、ＩＥＣ６０１−１およびＪＩＳＴ１００１．１９９２などの規定に従って被測定装置の漏れ電流測定を行う際に被測定装置に測定用交流を印加するための交流出力装置に適用した実施の形態について説明する。
【００１７】
図１は、交流出力装置１の回路図を示している。同図に示すように、交流出力装置１は、例えば１００Ｖの商用交流を供給するアウトレット２に接続可能なＡＣプラグ３と、ＡＣプラグ３から出力される商用交流を入り切りするためのブレーカ４と、ブレーカ４を介して入力された商用交流を１１０Ｖまで昇圧する電圧変換用のトランス５と、トランス５の出力巻線５ｂから出力された測定用交流の出力制御を行うための出力制御部６と、測定用交流の出力電流値を検出するためのカレントトランス７と、カレントトランス７によって検出された出力電流が所定電流値を超えたときにブレーカ４を遮断状態に制御する出力遮断部８とを備えている。また、交流出力装置１には、出力制御部６から出力された測定用交流を被測定装置に印加する際に被測定装置の所定の部位に接続される鰐口クリップ９と，接地線に接続される鰐口クリップ１０と、測定用交流の出力を手動によってオン／オフするための手元スイッチ１１とが設けられている。なお、手元スイッチ１１は、押しボタンを押している間のみ測定用交流が出力されるように、安全面の観点から、モーメンタリ（自動復帰）型スイッチによって構成されている。
【００１８】
ブレーカ４は、両極切りタイプのものであって、交流出力装置１の主電源スイッチとしても機能する。具体的な機能としては、ブレーカ４は、図外のレバーを投入すると、可動接点４ａ１，４ａ２が固定接点４ｂ１，４ｂ２にそれぞれ接触することにより商用交流を装置内に供給し、レバーを復帰させると、可動接点４ａ１，４ａ２と固定接点４ｂ１，４ｂ２とがそれぞれ非接触になることにより商用交流の装置内への供給を停止する。また、ブレーカ４は、鰐口クリップ９を介して被測定装置に供給される測定用交流の電流値が所定値を超えたときには、コイル４ｃ１，４ｃ２が励磁されることにより、可動接点４ａ１，４ａ２のオン状態を自動的に解除して商用交流の供給を停止する。
【００１９】
トランス５は、入力巻線５ａと出力巻線５ｂとの巻数被が１０対１１に設定されており、１００Ｖの商用交流を、被測定装置の通常入力電圧の１１０％である１１０Ｖまで昇圧するのに適した簡易な構成となっている。なお、電圧変換トランスとしては、これに限定されるものではなく、被測定装置の定格電圧または最大定格電圧の１１０％まで昇圧できるように構成したり、２００Ｖの商用交流を１１０Ｖまで降圧できるように構成したりしてもよい。また、被測定機器の定格電圧がＡＣ２００Ｖの場合には、ＡＣ２００Ｖの商用交流をＡＣ２２０Ｖに昇圧するトランスを用いることもできる。さらに、トランス５は、電圧調整用の複数のタップを入力巻線５ａおよび出力巻線５ｂにそれぞれ設けることにより、入力電圧がＡＣ１００Ｖ〜ＡＣ２５０Ｖまで許容可能で、かつ、任意の電圧値の測定用交流を出力可能に構成してもよい。
【００２０】
出力制御部６は、トランス５の出力巻線５ｂから出力される測定用交流の極性を切り替えるための極性切替スイッチ２１と、本発明における整流手段に相当し測定用交流を整流して直流を生成するダイオードブリッジ２２と、２巻線型のラッチングリレー２３と、電流制限用の抵抗２４と、カレントトランス７の一次巻線７ａと鰐口クリップ９との間を抵抗２４を介して接続するか、または短絡するかを制御するためのスイッチ２５と、平滑用のコンデンサ２６と、電荷蓄積用のコンデンサ２７と、電流制限用の抵抗２８，２９とを備えている。
【００２１】
カレントトランス７は、抵抗値が例えば２ｋΩの電流検出用の可変抵抗３０を二次巻線７ｂに並列接続して構成されている。このカレントトランス７では、可変抵抗３０を可変することによって、一次巻線７ａに流れる測定用交流の電流値に対する二次巻線７ｂの誘起電圧を可変することができ、これにより、経年変化に起因して出力遮断部８における検出信号ＳＰの誘起電圧に対する出力タイミングがずれた場合に、そのずれを補正することができる。なお、カレントトランス７は、可変抵抗３０が中間抵抗値である１ｋΩのときに、一次巻線７ａに６ｍＡｒｍｓの交流電流が流れると電流検出用可変抵抗３０の両端に６ｍＶｒｍｓの電圧を誘起させる。
【００２２】
出力遮断部８は、カレントトランス７の二次巻線７ｂに誘起された誘起電圧を差動増幅する差動増幅回路３１と、差動増幅回路３１から出力された増幅信号と基準電圧源３２の基準電圧とを比較して増幅信号の電圧値が基準電圧を超えたときに検出信号ＳＰを出力する比較回路３３と、ブレーカ４のコイル４ｃ１，４ｃ２を介して入力される商用交流を全波整流するダイオードブリッジ３４と、平滑用のコンデンサ３５と、直流を生成して比較回路３３、差動増幅回路３１および基準電圧源３２に出力する電源回路３６と、コンデンサ３５を短絡するためのサイリスタ３７とを備えて構成されている。
【００２３】
この出力遮断部８では、可変抵抗３０の両端に約６ｍＶｒｍｓ以上の電圧が誘起されると、差動増幅回路３１によって差動増幅された増幅信号の電圧値が基準電源３２の基準電圧の電圧値を超え、これにより、比較回路３３が検出信号ＳＰを出力する。検出信号ＳＰが出力されると、サイリスタ３７が作動することにより、コンデンサ３５の両端が短絡される。このため、ダイオードブリッジ３４の負荷が重くなる結果、ブレーカ４のコイル４Ｃ１，４Ｃ２に十分な動作電流が導通する。これにより、ブレーカ４がリセットされて可動接点４ａ１，４ａ２と固定接点４ｂ１，４ｂ２とがそれぞれ非接触状態になる。つまり、この出力遮断部８は、可変抵抗３０の両端に約６ｍＶｒｍｓ以上の電圧が誘起すると、サイリスタ３７によって回路内の消費電流を飛躍的に増大させることにより、ブレーカ４をリセットし、これにより、商用電源の装置内への入力を遮断する。なお、商用電源の入力が遮断された後は、サイリスタ３７が非導通状態になるため、ブレーカ４を再投入した際には、可変抵抗３０の両端に約６ｍＶｒｍｓ以上の電圧が再度誘起されない限り、測定用交流を通常通りに出力する。
【００２４】
次に、交流出力装置１における全体的な動作について説明する。
【００２５】
まず、ブレーカ４を投入することにより、商用電源がトランス５の入力巻線５ａを導通し、これにより、トランス５の出力巻線５ｂに所定電圧の測定用交流が出力される。この場合、極性切替スイッチ２１を切り替えることにより、出力巻線５ｂから出力される測定用交流の極性を簡単に切り替えることができる。測定用交流は、ダイオードブリッジ２２によって整流された後にコンデンサ２６によって平滑される。次いで、平滑された直流が、ラッチングリレー２３のリセットコイル２３ａ、抵抗２８、手元スイッチ１１のブレーク接点１１ａ、および可動接点１１ｃを介してコンデンサ２７に流入することにより、コンデンサ２８が充電される。したがって、コンデンサ２７が充電されている期間内では、リセットコイル２３ａが励磁される結果、ラッチングリレー２３がリセットされる。なお、同図は、ラッチングリレー２３がリセットされている状態を示している。
【００２６】
次に、手元スイッチ１１がオン状態に操作されると、メーク接点１１ｂと可動接点１１ｃとが接触することにより、コンデンサ２７に蓄積されている電荷が、可動接点１１ｃ、メーク接点１１ｂ、抵抗２９、およびラッチングリレー２３のセットコイル２３ｂを介して放電される。この結果、セットコイル２３ｂが励磁され、ラッチングリレー２３はセット状態になる。これにより、リレー接点２３ｃ，２３ｄが接触状態を維持する結果、測定用交流が、トランス７の一次巻線７ａを介して鰐口クリップ９に継続して出力される。この場合、シングルスティブル型のリレーを使用したとすれば、リレーをオン状態にしている状態では、コイルに電流が流れることによりトランス５の出力巻線５ｂの巻線抵抗による交流の電圧降下生じるのに対し、この実施形態における交流出力装置１では、測定用交流を出力している間においては、トランス５の出力巻線５ｂ側での電圧低下を生じないため、一定電圧の測定用交流を安定して出力することができる。また、手元スイッチ１１には測定用交流が導通していないため、極めて安全に操作することができる。
【００２７】
また、漏れ電流許容値が５０μＡ以下の測定項目について測定する場合には、切替スイッチ２５を操作して可動接点２５ｃを固定接点２５ａに接触させることにより、測定用交流は、電流制限用の抵抗２４を介して出力される。この場合、抵抗２４の抵抗値を１０ｋΩ程度にすることにより、漏れ電流許容値の上限値である５０μＡの測定用交流が流れたとしても、抵抗２４による電圧降下が０．５Ｖに止まる結果、電圧値を低下させることなく測定用交流を出力することができる。一方、漏れ電流許容値が５ｍＡ以下の測定項目について測定する場合には、切替スイッチ２５を操作して可動接点２５ｃを固定接点２５ｂに接触させることにより、測定用交流は、抵抗２４を介さないで出力される。
【００２８】
一方、測定者が、誤って鰐口クリップ９に手などを触れた場合には、測定用交流が人体を導通する。この場合、人体に危険を及ぼすおそれのある約６ｍＡ以上の電流が流れると、可変抵抗３０の両端に６ｍＶ以上の誘起電圧が発生する。したがって、差動増幅回路３１によって増幅された増幅信号が基準電源３２の基準電圧を超えるため、比較回路３３が検出信号を出力する。この結果、サイリスタ２７が導通することによって、商用交流が、ブレーカ４のコイル４ｃ１，４ｃ２を導通することにより、ブレーカ４が遮断される。この場合、出力遮断部８は、約６ｍＡ以上の測定用交流が流れた時から２３ｍＳ以下の応答時間でブレーカ４を遮断する。このため、人体抵抗が５００Ω程度とした場合でも心室細動という危険状態を招くことがなく、極めて高い安全性が確保されている。
【００２９】
なお、本実施形態では、上記実施形態に示した構成に限定されない。例えば、本発明に係る漏れ電流測定用検査装置は、漏れ電流を測定する検査装置に限らず、高電圧の交流や直流を出力する電源装置および検査装置などに適用が可能である。また、本実施形態では、ダイオードブリッジ２２がトランス５の出力巻線５ｂ側に配設されて測定用交流を整流しているが、トランス５の入力巻線５ａ側に配設し、商用交流を整流してもよい。また、ダイオードブリッジ２２は、負電圧の直流を生成してもよく、その場合には、ダイオードブリッジの接続およびコンデンサ２６，２７の極性を変更すればよい。
【００３０】
また、本発明におけるラッチングリレー２３についても、トランス５の入力巻線５ａ側に配設し、トランス５に対して商用交流の出力を遮断することにより、測定用交流の被測定装置への出力を停止するように構成してもよい。
【００３１】
【発明の効果】
以上のように請求項１記載の漏れ電流測定用検査装置によれば、手動スイッチによって直流をオン／オフすることにより測定用交流の出力を制御することができる結果、手動スイッチの操作時における感電事故を防止することができる。また、手動スイッチのオン操作時には、電荷蓄積手段に蓄積された電荷に基づいてラッチングリレーを作動させるため、測定用交流の電圧値に影響を与えない結果、正確な漏れ電流測定を行うことができる。また、手動スイッチが操作されないオフ状態のときに、リセットコイル、電流制限用抵抗、手動スイッチのブレーク接点および可動接点を介して直流が電荷蓄積手段に流入することにより、商用交流または測定用交流の入力時においてリセットコイルを励磁させてラッチングリレーを確実にオフ状態にさせることができ、その結果、商用交流または測定用交流の入力開始後から手動スイッチのオン操作までの間における測定用交流の出力を確実に停止させることができる。
【００３２】
また、請求項２記載の漏れ電流測定用検査装置によれば、整流手段の出力部に配設したコンデンサが脈流を平滑することにより、平滑された直流によってセットコイルおよびリセットコイルが励磁される結果、ラッチングリレーを確実に作動させることができる。
【００３３】
さらに、請求項３記載の漏れ電流測定用検査装置によれば、電荷蓄積手段をコンデンサで構成したことにより、リセットコイルおよびセットコイルを確実に励磁することができると共に、電池によって構成した場合と比較してコストダウンを図ることができる。
【図面の簡単な説明】
【図１】本発明の実施の形態に係る交流出力装置の回路図である。
【図２】ＭＥ機器が故障した際に漏れ電流が漏洩する経路を説明するための治療用検査システムの一例における構成概略図である。
【図３】従来の漏れ電流測定用検査装置を使用した漏れ電流測定システムの概略構成図である。
【符号の説明】
１  交流出力装置
１１  手元スイッチ
１１ａ  ブレーク接点
１１ｂ  メーク接点
１１ｃ  可動接点
２２  ダイオードブリッジ
２３  ラッチングリレー
２３ａ  リセットコイル
２３ｂ  セットコイル
２６  コンデンサ
２７  コンデンサ
【図１】
0003553758.tif 000002
【図２】
0003553758.tif 000003
【図３】
0003553758.tif 000004